(57)【要約】      （修正有）【課題】防護する範囲を調整できるフェイスシールドを低コストで提供する。【解決手段】装着者の頭部に挟持するフレーム１０と係止部３０を介してフレームに脱着可能なシールド部２０からなり、シールド部は透明プラスチックフィルム２１から成り、大きさを１種類としている。この透明プラスチックフィルムを２枚使用し、一部を重なるようにフレームに係止することで防護範囲を拡大することができる。また、透明プラスチックフィルムは略長方形をしており短辺及び長辺の近傍にそれぞれ係止用の貫通孔が設けられている。長辺近傍の係止用の貫通孔で透明プラスチックフィルムを２枚組み合わせると装着者の顔面に加え耳の付近まで、短辺近傍の係止孔で組合わせると装着者の顔面に加え顎から胸にかけて防護範囲を広げることが可能となる。【選択図】図１
0003227450.tif 000002
【実用新案登録請求の範囲】
【請求項１】
装着者の頭部を挟持するフレームと顔面を覆うシールド部から構成されるフェースシールドにおいて、前記フレームには前記シールド部を着脱可能に係止するための係止部を有し、前記シールド部は複数枚の透明プラスチックフィルムからなり、且つそれぞれの前記透明プラスチックフィルムは一部が重なり合うように配置され、前記係止部を介して前記フレームに係止されることを特徴とするフェースシールド。
【請求項２】
前記係止部は複数の係止片からなり、前記係止片は略Ｌ字形をしており、前記Ｌ字形の一端は前記フレームに接続され、他端はフレームから離れており、前記係止片は前記フレームの外周において周方向にそれぞれ距離を置いて配置され、前記透明プラスチックフィルムには前記距離と同じ距離に設けられた複数の貫通孔を有し、前記係止片のL字形の他端から前記貫通孔を通し前記係止片のL字形の一端に向かって前記透明プラスチックフィルムを移動させることで前記フレームに前記透明プラスチックフィルムが係止されることを特徴とする請求項１記載のフェースシールド。
【考案の詳細な説明】
【技術分野】
【０００１】
本考案は対面者のくしゃみや咳による唾液等の飛沫が被対面者の顔面に付着することを防止するフェースシールドに関するものである。
【背景技術】
【０００２】
従来のフェースシールドは装着者の頭部に挟持されるフレーム部と装着者の額から顎にかけて顔面の前面部分を覆うように垂れ下がる透明プラスチックフィルムからなるシールド部で構成されている。フレーム部とシールド部は熱溶着等で一体化されている。またはフレーム部にスナップ式留具を設け、シールド部に設けた貫通孔を利用して係止している。
【先行技術文献】
【特許文献】
【０００３】
【特許文献１】特開2005-287561
【特許文献２】特開2018-149295
【考案の概要】
【考案が解決しようとする課題】
【０００４】
特許文献１における顔面保護シールドは、可撓性透明シールド部材は装着部材に対して熱融着されており、可撓性透明シールド部材の大きさは一定であるため、小柄な女性と大柄な男性のように装着者の顔面の大きさの違いにより可撓性透明シールド部材の大きさだけを変えるという対応はできず顔面保護シールド全体を変えるしかない。つまりサイズごとに顔面保護シールドを用意する必要がある。
【０００５】
特許文献２におけるフェースガードは、フレーム部に設けたスナップ式留具を用いてシールド本体を脱着できる。開示されているシールド本体は眼を保護することを主に想定されている。当然眼だけでなく顎近くまで保護できるよう想定した大きさのシールド本体を用意することも可能と考える。しかしながら、特許文献２のフェースガードはフレーム部が装着部に対して連結部を中心に跳ね上げ可能な構造になっているため、装着者の顔の側面（耳の付近）まで防護可能なシールド本体の大きさとするのは困難である。
【０００６】
いずれにしても顔面保護シールドやシールド本体を何種類も準備しておく必要があり、コスト高、保管や管理の煩雑さが発生するという課題がある。
【課題を解決するための手段】
【０００７】
上記課題を解決するため、本考案のフェイスシールドは、装着者の頭部を挟持するフレームと顔面を覆うシールド部から構成されるフェースシールドにおいて、前記フレームには前記シールド部を着脱可能に係止するための係止部を有し、前記シールド部は複数枚の透明プラスチックフィルムからなり、且つそれぞれの前記透明プラスチックフィルムは一部が重なり合うように配置され、前記係止部を介して前記フレームに係止されることを特徴とする。
【０００８】
このような構成によれば、複数の透明プラスチックフィルムを組合わせることで装着者の意に沿うように防護範囲をさまざまに設定できる。
【０００９】
また、本考案のフェースシールドは、前記係止部は複数の係止片からなり、前記係止片は略Ｌ字形をしており、前記Ｌ字形の一端は前記フレームに接続され、他端はフレームから離れており、前記係止片は前記フレームの外周において周方向にそれぞれ距離を置いて配置され、前記透明プラスチックフィルムには前記距離と同じ距離に設けられた複数の貫通孔を有し、前記係止片のL字形の他端から前記貫通孔を通し前記係止片のL字形の一端に向かって前記透明プラスチックフィルムを移動させることで前記フレームに前記透明プラスチックフィルムが係止されることを特徴とする。
【００１０】
このような構成により、透明プラスチックフィルムの取付取外し、交換や防護範囲の設定変更を容易にできる。
【考案の効果】
【００１１】
係止部がＬ字形のために意図するときは容易にシールド部を着脱できる効果を有する。
また一種類の大きさの透明プラスチックフィルムを複数組み合わせることで、顔面を覆う範囲を広くすることができ、更に隣り合う透明プラスチックフィルムの一部を重ねて取付できるため、飛沫を受けたとき顔面への直接付着を防止できるシールド部を構成できる。
一種類の大きさの透明プラスチックフィルムを準備すればよく、保管も容易でコスト的にも押さえらえる。
【図面の簡単な説明】
【００１２】
【図１】図１は、本考案の第１の実施形態に係るフェイスシールドを示す斜視図である。
【図２】図２は、本考案のフェイスシールドの透明プラスチックフィルムを示す図である
【図３】図３は、本考案の第１の実施形態に係るフェイスシールドを装着者が装着したときの右側から見た図である。
【図４】図４は、本考案の第２の実施形態に係るフェイスシールドを示す斜視図である。
【図５】図５は、透明プラスチックフィルムを１枚使用した場合を示した参考斜視図である。
【考案を実施するための形態】
【００１３】
以下、本考案の実施の形態について図面を参照して説明する。図中の同一または相当する部分には同一符号を付して説明は省略する。なお、本考案の実施形態は、本考案を具体化する際の一例を示すものであって、本考案の範囲を実施形態の記載の範囲に限定するものではない。
【実施例】
【００１４】
図１から図３を用い、本考案の第１の実施形態に係るフェースシールドを説明する。
図１に示すように、フェイスシールド１は、装着者の顔面を飛沫等から保護するため、装着者の顔の前方に設けられるシールド部２０と、シールド部２０を保持するためのフレーム１０からなる。
フレーム１０は、ポリプロピレン等のプラスチック製で装着者の頭部にフィットするように平面視で略楕円の曲線を有している。前記略楕円の長軸の一端を前側、他端を後側とすると、前側には装着者の顔面からシールド部２０の間に空間を設けるためのスペーサ部４０を有している。後側は曲線が分断されており、装着したとき頭部の形に沿い曲線が変化することで頭部にフィットする。
また後側の両端部付近の外周面にフック５０を形成し、輪ゴムのような弾性体６０を引っ掛けることで、装着したとき、頭部によりフィットさせることができる。更にフック５０を前側に向かって複数個設けて、弾性体を引っ掛ける位置を変えることで、フィット感を調整できる。
【００１５】
またフレーム１０の外周面にはシールド部２０を係止する係止部３０を有している。係止部３０はL字形の係止片３１からなり複数個が外周に沿って等間隔の距離をおいて設けられている。係止片３１のL字形の一端はフレーム１０の外周面に接続され、L字形の他端は上側に向かって伸びている。前記L字形の他端と前記フレーム１０の外周面との間には、後述する透明プラスチックフィルム２１の厚みよりも僅かに広い隙間を有している。
係止片３１はフレーム１０の前側の頂点部分に1個（３１ａ）設け、それを起点にフレーム１０の外周に沿って右側に2個の係止片（３１ｂ、３１ｄ）が、左側に２個の係止片（３１ｃ、３１ｅ）がそれぞれ等間隔で設けられている。
【００１６】
図２に示すように、透明プラスチックフィルム２１は例えばポリエチレンテレフタレート（ＰＥＴ）のフィルム（ｔ０．４ｍｍ）を顔面を覆うことに適した大きさで略長方形(約２１０×３００ｍｍ）に切断加工している。角部は適宜大きくＲ曲線加工処理を施している。透明プラスチックフィルム２１の略長方形の一つの短辺の外周付近には外周に沿うように一列に３個貫通孔２２を設けている。また一つの長辺の外周付近にも外周に沿うように一列に２個貫通孔２３を設けている。
前記貫通孔２２の間のそれぞれの距離（ピッチ）および前記貫通孔２３の間のそれぞれの距離（ピッチ）は前記フレーム１０に設けた複数の係止片３１の間隔距離（ピッチ）と同じである。前記貫通孔２２、２３の大きさは前記係止片３１のL字形を構成する腕の径よりも僅かに大きい。
【００１７】
実施例１では、同仕様の透明プラスチックフィルム２１を２枚使用してシールド部を形成する。具体的には１枚目の透明プラスチックフィルム２１の貫通孔２２ｂを係止片３１ａに取り付けた後、貫通孔２２ａを係止片３１ｃ、貫通孔２２ｃを係止片３１ｅに取り付ける。さらに２枚目の透明プラスチックフィルム２１の貫通孔２２bを係止片３１ａに取り付けた後、貫通孔２２ａを係止片３１ｂ、貫通孔２２cを係止片３１ｄに取り付ける。係止片３１ａを境に透明プラスチックフィルム２１の２枚が重なった状態となっている。２枚の重なり寸法(左右方向）は、透明プラスチックフィルム２１の長辺の長さの1/２以下が好ましい。
実施例１の場合、図３に示すように装着者の耳付近まで防護範囲を確保している。
【００１８】
図４で示した実施例２を説明する。実施例１と同様に透明プラスチックフイルム２１を２枚使用し、その短辺付近に設けられた前記貫通孔２３を使うことで、上下方向に保護範囲を広く確保する。具体的には１枚目の透明プラスチックフィルム２１の貫通孔２３aを係止片３１ａに取り付けた後、貫通孔２３bを係止片３１ｃに取り付ける。さらに２枚目の透明プラスチックフィルム２１の貫通孔２３aを係止片３１ａに取り付けた後、貫通孔２３bを係止片３１ｂに取り付ける。係止片３１ａを境に透明プラスチックフィルム２１の２枚が重なった状態となっている。２枚の重なり寸法(左右方向）は、透明プラスチックフィルム２１の短辺の長さの1/２以下が好ましい。
【００１９】
図５に示すように、従来のフェイスシールドのように透明プラスチックフィルム２１を１枚使用しシールド部を形成することも可能である。この場合、係止片３１ａに貫通孔２２ａ、係止片３１ｂに貫通孔２２ｂ、係止片３１ｃに貫通孔２２ｃを使って係止することで可能となる。
【００２０】
このように一つの仕様の透明プラスチックフィルム２１を組合わせることで様々な保護範囲のバリエーションを作ることが可能である。
【産業上の利用可能性】
【００２１】
本考案は防護範囲を調整できるフェイスシールドに関するものであり産業上の利用可能性を有する。
【符号の説明】
【００２２】
１  フェイスシールド
１０  フレーム
２０  シールド部
２１  透明プラスチックフィルム
２２、２３、２２ａ、２２ｂ、２２ｃ、２３ａ、２３ｂ  貫通孔
３０  係止部
３１、３１ａ、３１ｂ，３１ｃ，３１ｄ，３１ｅ  係止片
４０  スペーサ部
５０  フック
６０  弾性体
【図１】
0003227450.tif 000003
【図２】
0003227450.tif 000004
【図３】
0003227450.tif 000005
【図４】
0003227450.tif 000006
【図５】
0003227450.tif 000007